(57)【要約】  【解決手段】  結合座はヘッド本体の適当な位置に凹むように設けられ、多角形に形成される。結合座には環状凹欠溝と肩部が設けられる。重りにはキャップ体部が設けられ、キャップ体部には少なくとも一個の係止溝が形成される。位置決めばねリングには複数個の当接点が形成され、当接点は結合座の環状凹欠溝の内部に当接する。位置決めばねリングは弾性により重りの係止溝を結合座の環状凹欠溝の内部に係止させる。開錠装置は複数本の開錠レバーで位置決めばねリングを広げることにより、重りの交換を行う。  【効果】  結合座を位置決めばねリングを利用して重りの係止溝に係止することにより、迅速に組み立てて位置決めできる。さらに、位置決めばねリングを広げて重りを取り出すことにより、全体の重心位置を迅速に調整することができると共に、重りの調整の自由度を有効に増やし、組立の方式を簡単にすることができる。【選択図】    図１
2006212407.tif 000002
【特許請求の範囲】
【請求項１】
結合座（１１）、重り（２）および位置決めばねリング（３）により構成されるゴルフクラブヘッドの重りの構造であって、結合座（１１）はヘッド本体（１）の適当な位置に凹むように設けられ、結合座（１１）には少なくとも一個の角辺縁部が設けられ、上記角辺縁部には環状凹欠溝（１１１）と肩部（１１２）が設けられ、重り（２）にはキャップ体部（２１）が設けられ、キャップ体部（２１）の形状は結合座（１１）に対応するように形成され、キャップ体部（２１）には少なくとも一個の角辺縁部が形成され、キャップ体部（２１）の角辺縁部は結合座（１１）の角辺縁部とは対応するように形成され、キャップ体部（２１）の角辺縁部の外周面にはそれぞれ係止溝（２１２）が形成され、位置決めばねリング（３）には少なくとも一個の当接点（３１）が形成され、当接点（３１）は結合座（１１）の環状凹欠溝（１１１）の内部に当接するのに用いられ、組立時において、位置決めばねリング（３）は弾性をもって重り（２）の係止溝（２１２）を係止することにより、重り（２）を結合座（１１）の内部に弾性によって位置決めすることを特徴とするゴルフクラブヘッドの重りの構造。
【請求項２】
結合座（１１）の肩部（１１２）と重り（２）のキャップ体部（２１）との間には他に振動吸収リング（４）が配置されることを特徴とする請求項１記載のゴルフクラブヘッドの重りの構造。
【請求項３】
結合座（１１）の肩部（１１２）には他にフランジ（１１３）が延伸するように形成され、さらに重り（２）のキャップ体部（２１）には他に対応するように延長部（２２）が延伸するように形成されることを特徴とする請求項１記載のゴルフクラブヘッドの重りの構造。
【請求項４】
結合座（１１）のフランジ（１１３）の底部は開放状になるように選択することができることを特徴とする請求項３記載のゴルフクラブヘッドの重りの構造。
【請求項５】
結合座（１１）のフランジ（１１３）の底部は封止状になるように選択することができることを特徴とする請求項３記載のゴルフクラブヘッドの重りの構造。
【請求項６】
結合座（１１）のフランジ（１１３）の底部には他に振動吸収パッド（４１）が配置されることを特徴とする請求項５記載のゴルフクラブヘッドの重りの構造。
【請求項７】
重り（２）のキャップ体部（２１）は各角辺縁部において他に開錠孔（２１１）が形成され、開錠孔（２１１）はキャップ体部（２１）の内、外表面を貫通するように形成されると共に、係止溝（２１２）とは相互に連通するように形成されることにより、十字型の複合孔が形成されることを特徴とする請求項１記載のゴルフクラブヘッドの重りの構造。
【請求項８】
重り（２）の延長部（２２）は各種の延伸する長さを同時に配置することにより、重さが異なった複数個の重りゾーン体（２２１、２２２、２２３）による分布が形成されることを特徴とする請求項３記載のゴルフクラブヘッドの重りの構造。
【請求項９】
重り（２）の延長部（２２）は各種の比重の異なった材質を同時に使用することにより、重さが異なった複数個の重りゾーン体（２２１、２２２、２２３）による分布が形成されることを特徴とする請求項３記載のゴルフクラブヘッドの重りの構造。
【請求項１０】
結合座（１１）の開口部と重り（２）のキャップ体部（２１）の形状は共同で三角形、方形、菱形、正五辺形、正多辺形の幾何の対称形状から選択することができることを特徴とする請求項１記載のゴルフクラブヘッドの重りの構造。
【請求項１１】
結合座（１１）、重り（２）、位置決めばねリング（３）および開錠装置（５）により構成されるゴルフクラブヘッドの重りの構造であって、結合座（１１）はヘッド本体（１）の適当な位置に凹むように設けられ、結合座（１１）には少なくとも一個の角辺縁部が設けられ、上記角辺縁部には環状凹欠溝（１１１）と肩部（１１２）が設けられ、重り（２）にはキャップ体部（２１）が設けられ、キャップ体部（２１）の形状は結合座（１１）に対応するように形成され、キャップ体部（２１）には少なくとも一個の角辺縁部が形成され、キャップ体部（２１）の角辺縁部は結合座（１１）の角辺縁部とは対応するように形成され、キャップ体部（２１）の角辺縁部の外周面にはそれぞれ係止溝（２１２）が形成され、位置決めばねリング（３）には少なくとも一個の当接点（３１）が形成され、当接点（３１）は結合座（１１）の環状凹欠溝（１１１）の内部に当接するのに用いられ、組立時において、位置決めばねリング（３）は弾性をもって重り（２）の係止溝（２１２）を係止することにより、重り（２）を結合座（１１）の内部に弾性によって位置決めし、開錠装置（５）には複数本の開錠レバー（５１）が設けられ、開錠レバー（５１）は対応するように重り（２）の開錠孔（２１１）の内部に挿入し、先に係止溝（２１２）の内部に係止された位置決めばねリング（３）を外へ広げることにより、重り（２）を取り外すことができることを特徴とするゴルフクラブヘッドの重りの構造。
【請求項１２】
開錠装置（５）の開錠レバー（５１）は末端において円弧状の傾斜面（５１１）が形成されることを特徴とする請求項１１記載のゴルフクラブヘッドの重りの構造。
【請求項１３】
結合座（１１）の肩部（１１２）と重り（２）のキャップ体部（２１）との間には他に振動吸収リング（４）が配置されることを特徴とする請求項１１記載のゴルフクラブヘッドの重りの構造。
【請求項１４】
結合座（１１）の肩部（１１２）には他にフランジ（１１３）が延伸するように形成され、さらに重り（２）のキャップ体部（２１）には他に対応するように延長部（２２）が延伸するように形成されることを特徴とする請求項１１記載のゴルフクラブヘッドの重りの構造。
【請求項１５】
結合座（１１）のフランジ（１１３）の底部は開放状になるように選択することができることを特徴とする請求項１４記載のゴルフクラブヘッドの重りの構造。
【請求項１６】
結合座（１１）のフランジ（１１３）の底部は封止状になるように選択することができることを特徴とする請求項１４記載のゴルフクラブヘッドの重りの構造。
【請求項１７】
結合座（１１）のフランジ（１１３）の底部には他に振動吸収パッド（４１）が配置されることを特徴とする請求項１６記載のゴルフクラブヘッドの重りの構造。
【請求項１８】
重り（２）のキャップ体部（２１）は各角辺縁部において他に開錠孔（２１１）が形成され、開錠孔（２１１）はキャップ体部（２１）の内、外表面を貫通するように形成されると共に、係止溝（２１２）とは相互に連通するように形成されることにより、十字型の複合孔が形成されることを特徴とする請求項１１記載のゴルフクラブヘッドの重りの構造。
【請求項１９】
重り（２）の延長部（２２）は各種の延伸する長さを同時に配置することにより、重さが異なった複数個の重りゾーン体（２２１、２２２、２２３）による分布が形成されることを特徴とする請求項１４記載のゴルフクラブヘッドの重りの構造。
【請求項２０】
重り（２）の延長部（２２）は各種の比重の異なった材質を同時に使用することにより、重さが異なった複数個の重りゾーン体（２２１、２２２、２２３）による分布が形成されることを特徴とする請求項１４記載のゴルフクラブヘッドの重りの構造。
【請求項２１】
結合座（１１）の開口部と重り（２）のキャップ体部（２１）の形状は共同で三角形、方形、菱形、正五辺形、正多辺形の幾何の対称形状から選択することができることを特徴とする請求項１１記載のゴルフクラブヘッドの重りの構造。
【発明の詳細な説明】
【技術分野】
【０００１】
本発明は、ゴルフクラブヘッドの重りの構造に関するもので、特に位置決めばねリングとヘッド本体の結合座との結合を利用し、さらに開錠レバーを有する開錠装置と合わせて弾性による位置決めと迅速の取り外しを提供できる重りの構造に係るものである。
【背景技術】
【０００２】
従来のゴルフクラブヘッドの重りの構造としては、主に固定式の重りと取り外し自在式の重りが分けられる。固定式の重りは熔接、硬ろう付けまたは粘着などの方式により直接ヘッド本体の内部に固定するもので、その利点としては結合の信頼性が高いということが挙げられるが、欠点としては使用上の需要性に応じて全体の重心を迅速に調整することができないことが挙げられる。また、取り外し自在式の重りは通常として螺設によって迅速に組み立てたり取り外したりする結合構造が利用されており、例えば、アメリカ公開番号第２００２／０１３７５７６号においては、ヘッド本体、少なくとも一個の重りねじおよび少なくとも一個の飾りカバーが含まれ、ヘッド本体は適当な位置において少なくとも一個のねじ孔が設置され、各重りねじの長さはねじ孔の深さより短くなるように形成されるため、重りねじを適当に調整することによってねじ孔の内部の適当な位置に螺設して結合することができ、飾りカバーはねじ孔の開口部に螺設して結合することにより、ねじ孔の外観を装飾することができるようにとしたものがある（例えば、特許文献１を参照）。
【特許文献１】アメリカ公開番号第２００２／０１３７５７６号
【発明の開示】
【発明が解決しようとする課題】
【０００３】
上記のような従来のゴルフクラブヘッドの取り外し自在式の重りの構造においては、重りねじによりゴルフクラブヘッドの全体の重心の位置を迅速に調整することができるが、実際に調整を行う時、使用者は時間と力を掛けて開錠装置を利用して逐一に各重りねじと飾りカバーを調整しなければならない。また、重りねじと飾りカバーの調整の移動範囲が大き過ぎるため、把握し難いという問題点が生じ、さらに使用者が全体の重心位置を正確に制御することができないという問題点があった。さらに、打球時において、重りねじは打球の応力によって緩み易くなるため、異音が生じたり重心が変わったりする。また、ねじ孔、重りねじと飾りカバーのねじの精密度が要求されるため、ヘッドと製造工程における複雑さと困難度が大幅に高められるという問題点があった。そのため、上記のような従来のゴルフクラブヘッドの重りの構造をさらに改良しなければならない。
【０００４】
本発明はこのような問題点に鑑みて発明したものであって、その目的とするところは、重りには複数個の係止溝が形成され、ヘッド本体には結合座が設けられ、結合座は位置決めばねリングを利用して重りの係止溝を係止することにより、迅速に組み立てて位置決めすることができる。さらに、開錠装置を利用して位置決めばねリングを広げて重りを取り出すことにより、重りの調整を迅速に行うことができるため、全体の重心位置を迅速に調整することができると共に、重りの調整の自由度を有効に増やし、組立の方式を簡単にすることができるゴルフクラブヘッドの重りの構造を提供しようとするものである。
【０００５】
本発明の第一の目的は、重りは位置決めばねリングを利用して迅速にヘッド本体の結合座に弾性によって位置決めして結合することができ、さらに開錠装置を利用して重りの取り外しを行うことができるため、重り調整の利便性を増やすと共に、組立の方式を簡単にすることができるゴルフクラブヘッドの重りの構造を提供しようとするものである。
【０００６】
本発明の第二の目的は、重りは位置決めばねリングを利用して迅速にヘッド本体の結合座の内部に弾性によって位置決めして結合することができ、さらに結合座には他に振動吸収リングが設けられることにより、打球の振動を吸収すると共に、組立の信頼性を増やすことができるゴルフクラブヘッドの重りの構造を提供しようとするものである。
【０００７】
本発明の第三の目的は、重りは位置決めばねリングを利用して迅速にヘッド本体の結合座の内部に弾性によって位置決めして結合することができ、さらに重りには重さが異なった分布が形成されるため、重り調整の利便性を増やすと共に、調整の自由度を高めることができるゴルフクラブヘッドの重りの構造を提供しようとするものである。
【課題を解決するための手段】
【０００８】
上記目的を達成するために、本発明によるゴルフクラブヘッドの重りの構造は、下記のようになるものである。すなわち、
結合座、重りおよび位置決めばねリングにより構成される。結合座はヘッド本体の適当な位置に凹むように設けられ、結合座には少なくとも一個の角辺縁部が設けられ、上記角辺縁部には環状凹欠溝と肩部が設けられる。重りにはキャップ体部が設けられ、キャップ体部の形状は結合座に対応するように形成され、キャップ体部には少なくとも一個の角辺縁部が形成され、キャップ体部の角辺縁部は結合座の角辺縁部とは対応するように形成され、キャップ体部の角辺縁部の外周面にはそれぞれ係止溝が形成される。位置決めばねリングには少なくとも一個の当接点が形成され、当接点は結合座の環状凹欠溝の内部に当接するのに用いられる。組立時において、位置決めばねリングは弾性をもって重りの係止溝を係止することにより、重りを結合座の内部に弾性によって位置決めする。
【０００９】
本発明によるゴルフクラブヘッドの重りの構造は、結合座の肩部と重りのキャップ体部との間には他に振動吸収リングが配置されることもできる。また、結合座の肩部には他にフランジが延伸するように形成され、さらに重りのキャップ体部には他に対応するように延長部が延伸するように形成されることもできる。また、結合座のフランジの底部は開放状になるように選択することこともできる。また、結合座のフランジの底部は封止状になるように選択することもできる。また、結合座のフランジの底部には他に振動吸収パッドが配置されることもできる。また、重りのキャップ体部は各角辺縁部において他に開錠孔が形成され、開錠孔はキャップ体部の内、外表面を貫通するように形成されると共に、係止溝とは相互に連通するように形成されることにより、十字型の複合孔が形成されることもできる。また、重りの延長部は各種の延伸する長さを同時に配置することにより、重さが異なった複数個の重りゾーン体による分布が形成されることもできる。また、重りの延長部は各種の比重の異なった材質を同時に使用することにより、重さが異なった複数個の重りゾーン体による分布が形成されることもできる。また、結合座の開口部と重りのキャップ体部の形状は共同で三角形、方形、菱形、正五辺形、正多辺形の幾何の対称形状から選択することもできる。
【００１０】
また、本発明によるゴルフクラブヘッドの重りの構造は、結合座、重り、位置決めばねリングおよび開錠装置により構成される。結合座はヘッド本体の適当な位置に凹むように設けられ、結合座には少なくとも一個の角辺縁部が設けられ、上記角辺縁部には環状凹欠溝と肩部が設けられる。重りにはキャップ体部が設けられ、キャップ体部の形状は結合座に対応するように形成され、キャップ体部には少なくとも一個の角辺縁部が形成され、キャップ体部の角辺縁部は結合座の角辺縁部とは対応するように形成され、キャップ体部の角辺縁部の外周面にはそれぞれ係止溝が形成される。位置決めばねリングには少なくとも一個の当接点が形成され、当接点は結合座の環状凹欠溝の内部に当接するのに用いられる。組立時において、位置決めばねリングは弾性をもって重りの係止溝を係止することにより、重りを結合座の内部に弾性によって位置決めする。開錠装置には複数本の開錠レバーが設けられ、開錠レバーは対応するように重りの開錠孔の内部に挿入し、先に係止溝の内部に係止された位置決めばねリングを外へ広げることにより、重りを取り外すこともできる。
【００１１】
さらに、本発明によるゴルフクラブヘッドの重りの構造は、開錠装置の開錠レバーは末端において円弧状の傾斜面が形成されることもできる。また、結合座の肩部と重りのキャップ体部との間には他に振動吸収リングが配置されることもできる。また、結合座の肩部には他にフランジが延伸するように形成され、さらに重りのキャップ体部には他に対応するように延長部が延伸するように形成されることもできる。また、結合座のフランジの底部は開放状になるように選択することもできる。また、結合座のフランジの底部は封止状になるように選択することもできる。また、結合座のフランジの底部には他に振動吸収パッドが配置されることもできる。また、重りのキャップ体部は各角辺縁部において他に開錠孔が形成され、開錠孔はキャップ体部の内、外表面を貫通するように形成されると共に、係止溝とは相互に連通するように形成されることにより、十字型の複合孔が形成されることもできる。また、重りの延長部は各種の延伸する長さを同時に配置することにより、重さが異なった複数個の重りゾーン体による分布が形成されることもできる。また、重りの延長部は各種の比重の異なった材質を同時に使用することにより、重さが異なった複数個の重りゾーン体による分布が形成されることもできる。また、結合座の開口部と重りのキャップ体部の形状は共同で三角形、方形、菱形、正五辺形、正多辺形の幾何の対称形状から選択することもできる。
【発明の効果】
【００１２】
本発明のゴルフクラブヘッドの重りの構造によれば、重りは位置決めばねリングを利用して迅速にヘッド本体の結合座に弾性によって位置決めして結合することができ、さらに開錠装置を利用して重りの取り外しを行うことができるため、重り調整の利便性を増やすと共に、組立の方式を簡単にすることができるという利点がある。
【００１３】
本発明のゴルフクラブヘッドの重りの構造によれば、重りは位置決めばねリングを利用して迅速にヘッド本体の結合座の内部に弾性によって位置決めして結合することができ、さらに結合座には他に振動吸収リングが設けられることにより、打球の振動を吸収すると共に、組立の信頼性を増やすことができるという利点がある。
【００１４】
本発明のゴルフクラブヘッドの重りの構造によれば、重りは位置決めばねリングを利用して迅速にヘッド本体の結合座の内部に弾性によって位置決めして結合することができ、さらに重りには重さが異なった分布が形成されるため、重り調整の利便性を増やすと共に、調整の自由度を高めることができるという利点がある。
【発明を実施するための最良の形態】
【００１５】
本発明の実施の形態について、以下、図面を参照して説明する。
【実施例１】
【００１６】
図１、２を参照すると、本発明の実施例１のゴルフクラブヘッドの重りの構造にはヘッド本体１、重り２、位置決めばねリング３および振動吸収リング４が含まれ、重り２は開錠装置５を利用してヘッド本体１に組み立てたり取り外したりすることができる。ヘッド本体１はステンレス、炭素鋼、合金鋼、フェロ−マンガン−アルミ合金などの金属材料または炭素繊維などの非金属材料から選択することができ、そして鋳造、鍛造または機械加工などの適当な方式を選択して生産し製造することができる。ヘッド本体１には一般的なウッド型ヘッドの基本構造を有するように形成されるため、ここでは再び詳細に説明しない。ヘッド本体１にはさらに適当な位置において結合座１１が設けられ、例えばソール部（sole）において後側（rear）に近い位置に結合座１１が設けられる。結合座１１の開口部は好ましくは円弧状の三角形、方形、菱形、正五辺形、正多辺形またはその他の幾何の対称形状から選択することができる。結合座１１には内へ向かって順序に従って環状凹欠溝１１１、肩部１１２とフランジ１１３が設けられる。環状凹欠溝１１１は位置決めばねリング３を結合するのに用いられる。肩部１１２は重り２を位置決めするのに用いられる。フランジ１１３は肩部１１２から延伸するように形成され、さらにフランジ１１３は円柱形に形成されると共に、その底部は開放状になるように選択することができる。
【００１７】
再び図１、２を参照すると、本発明の実施例１の重り２はヘッド本体１と同じまたは異なった金属、合金材質により製成され、例えばタングステン、フェロ、ニッケル、チタン、銅およびその合金から選択することができる。重り２にはキャップ体部２１と延長部２２が設けられる。キャップ体部２１の形状は結合座１１の開口部の形状に対応するように形成され、例えば円弧状の三角形、方形、菱形、正五辺形、正多辺形またはその他の幾何の対称形状から選択することができる。上述した形状の設計により、キャップ体部２１には対称するように複数個の角辺縁が形成され、各角辺縁にはそれぞれ開錠孔２１１と係止溝２１２が形成される。開錠孔２１１はキャップ体部２１の内、外表面を貫通するように形成される。係止溝２１２はキャップ体部２１の外周面において凹むように設けられ、さらに開錠孔２１１と係止溝２１２とは相互に連通するように形成されることにより、略十字型の複合孔が形成される。また、延長部２２はキャップ体部２１から延伸するように形成され、延長部２２の形状は結合座１１のフランジ１１３の形状に対応するように形成され、例えば円柱状である。延長部２２の延伸する長さは使用上の需要性に応じて重さを適当に調整し設計することができる。
【００１８】
再び図１、２を参照すると、本発明の実施例１の位置決めばねリング３は金属の線材からプレスによって形成するもので、位置決めばねリング３の形状は任意な多辺形からなることができ、例えば六角形または三角形などからなることができる。これにより、位置決めばねリング３には複数個の当接点３１が形成され、例えば六個の当接点３１が形成されることにより、結合座１１の環状凹欠溝１１１の内部に当接することができ、さらに位置決めばねリング３は弾性による変形の自由度を有するように形成される。また、振動吸収リング４は所定の厚さを有するように形成されると共に、弾性を有する振動吸収材料により製成され、例えばゴムである。振動吸収リング４は結合座１１の肩部１１２と重り２の間に挟設されることにより、振動吸収の効果を高めることができる。
【００１９】
再び図１、２を参照すると、本発明の実施例１の重り２は開錠装置５を利用して組み立てまたは取り外しを行うことができ、開錠装置５には複数本の開錠レバー５１が設けられ、各開錠レバー５１の末端において円弧状の傾斜面５１１が形成される。開錠レバー５１は重り２の開錠孔２１１の内部に対応するように挿入することにより、先に係止溝２１２の内部に係止された位置決めばねリング３を外へ広げることにより、重り２を簡単に取り外すことができる。
【００２０】
図２、３を参照すると、本発明において組立を行う時、先ず振動吸収リング４を結合座１１の肩部１１２に置き入れ、それから位置決めばねリング３のそれぞれの当接点３１を結合座１１の環状凹欠溝１１１の内部に嵌入させる。この時、環状凹欠溝１１１から突出した位置決めばねリング３によって振動吸収リング４を暫く位置決めすることにより、振動吸収リング４が脱落するのを防止することができる。それから、重り２を結合座１１に嵌入させると、重り２のキャップ体部２１は底端縁から位置決めばねリング３を推し開くことにより、位置決めばねリング３は暫く径向に外へ弾性に拡張し、位置決めばねリング３が適当にキャップ体部２１の係止溝２１２を係止するまで拡張するように形成される。もし、位置決めばねリング３がきつ過ぎると、例えば開錠装置５を利用して組立を補助するように選択することができる。これにより、重り２は結合座１１の内部に迅速に弾性による位置決めを行うことができるため、ゴルフクラブヘッドの全体の重心を調整することができると同時に、振動吸収の効果を有するため、重り２により打球の異音または脱落が生じるのを防止することができる。また、結合座１１の開口部とキャップ体部２１は非円形による結合の関係に形成されるため、重り２は任意に回動することができず、故に重りとしての信頼性を高めることができる。
【００２１】
図３、４、４Ａを参照すると、本発明においては開錠装置５を利用して取り外しを行う。先ず、開錠装置５の係止レバー５１を重り２のキャップ体部２１の各開錠孔２１１に対応するように挿入させる。それから、係止レバー５１の末端の傾斜面５１１は径向に外へ開錠孔２１１の内部の位置決めばねリング３を押し付け、位置決めばねリング３が外へ弾性に拡張し、係止溝２１２から離脱するまで拡張するように形成される。これにより、重り２によって位置決めばねリング３の弾性による係止の関係を迅速に解除することができるため、重り２はそのものの重量によって下へ落下し、結合座１１から離脱することができる。取り外しを完成した後、使用上の需要性に応じてさらに異なる重さの重り２を取り換えることができる。このように、本発明においては重り調整の利便性を増やすことができると共に、組立の方式を簡単にすることができる。
【実施例２】
【００２２】
図５を参照すると、本発明の実施例２のゴルフクラブヘッドの重りの構造が掲示される。実施例１と比較すると、実施例１において結合座１１のフランジ１１３の底部は開放状に形成されるのに対し、実施例２においては結合座１１のフランジ１１３の底部は封止状に形成されると共に、さらに振動吸収パッド４１を配置することができる。これにより、重り２と結合座１１の振動吸収の面積と当接の面積を増やすことができるため、結合の信頼性と振動吸収性を増やすことができる。
【実施例３】
【００２３】
図６を参照すると、本発明の実施例３のゴルフクラブヘッドの重りの構造が掲示される。実施例１と比較すると、実施例３においてはヘッド本体１は底部またはその他の部位において複数個の結合座１１が設けられると同時に、対応するように複数組の重り２、位置決めばねリング３と振動吸収リング４が設けられる。図６に示すように、結合座１１はヘッド本体１の各側辺（skirt）の後側（rear）、トウ部（toe）またはヒール部（heel）に近い位置のどれかに設けられる。各重り２は同じまたは異なる重さを配置することができるため、使用上の需要性に応じて組合せることができる。これにより、重り調整の自由度をさらに高めることができると共に、異なる製品による重心の設計の需要性を符合することができる。また、結合座１１のフランジ１１３の底部においても封止状になるように選択することができ、さらに振動吸収パッド４１（図５を参照）を配置するように選択することもできるため、結合の信頼性と振動吸収性を増やすことができる。
【実施例４】
【００２４】
図７、８を参照すると、本発明の実施例４のゴルフクラブヘッドの重りの構造が掲示される。実施例１と比較すると、実施例１においてヘッド本体１はウッド型のヘッドからなるのに対し、実施例２においてはアイアン型のヘッドからなる。ヘッド本体１は下半部の背面において複数個の結合座１１が設けられ、結合座１１には同様に環状凹欠溝１１１、肩部１１２とフランジ１１３が設けられることにより、重り２、位置決めばねリング３と振動吸収リング４を結合することができる。また、複数組の重り２を設置する場合、各重り２は同じまたは異なる重さを配置することができるため、使用上の需要性に応じて組合せることができる。これにより、重り調整の自由度をさらに高めることができると共に、異なる製品による重心の設計の需要性を符合することができ、さらに結合の信頼性と振動吸収性を増やすことができる。
【実施例５】
【００２５】
図９を参照すると、本発明の実施例５のゴルフクラブヘッドの重りの構造が掲示される。実施例１と比較すると、実施例５において重り２の延長部２２は異なる重さによる分布に形成される。図９に示すように、重り２の延長部２２は各種の延長する長さを同時に配置することにより、重さが異なった複数個の重りゾーン体２２１、２２２、２２３による分布が形成される。これにより、組立時において単一の重り２の組立の角度を調整することにより、異なる重さの効果を獲得することができるため、全体の重心位置を変えることができ、さらに重り調整の効果を相対的に増やすことができる。
【実施例６】
【００２６】
図１０を参照すると、本発明の実施例６のゴルフクラブヘッドの重りの構造が掲示される。実施例１と比較すると、実施例６において重り２の延長部２２は異なる重さによる分布に形成される。図１０に示すように、重り２の延長部２２は各種の比重の異なった材質を同時に使用することにより、重さが異なった複数個の重りゾーン体２２１、２２２、２２３による分布が形成される。これにより、組立時において単一の重り２の組立の角度を調整することにより、異なる重さの効果を獲得することができるため、全体の重心位置を変えることができ、さらに重り調整の効果を相対的に増やすことができる。
【実施例７】
【００２７】
図１１Ａ、１１Ｂ、１１Ｃを参照すると、本発明の実施例７のゴルフクラブヘッドの重りの構造が掲示される。実施例１と比較すると、実施例７においては異なる重り２の間には異なる長さの延長部２２が配置され（図１１Ａ、１１Ｂを参照）、さらに延長部２２の設置が省かれる（図１１Ｃを参照）。このように構成された重さの異なる重り２を利用して使用上の需要性に応じて組合せることができる。これにより、異なる重りの効果を提供することができると共に、全体の重心の位置を変えることができ、さらに重り調整の自由度を相対的に増やすことができる。
【産業上の利用可能性】
【００２８】
上述の如く、従来のゴルフクラブヘッドの重りの構造によれば、複数個の重りねじを利用してそれぞれ異なった螺設の閉め具合を制御しなければならないため、操作が難しくなると共に、精確に調整することができないなどの問題点があったが、図１に示す本発明のゴルフクラブヘッドの重りの構造によれば、位置決めばねリング３により重り２を迅速に結合座１１の内部に弾性に位置決めして組み立てることができ、さらに振動吸収リング４を利用して振動吸収の効果を提供することができるため、確実に重り調整の利便性、組立の信頼性と調整の自由度を相対的に増やすことができると共に、組立の方式を簡単にすることができ、さらに打球の振動を吸収することができる。
【００２９】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３０】
【図１】本発明の実施例１のゴルフクラブヘッドの重りの構造を示す分解斜視図である。
【図２】本発明の実施例１のゴルフクラブヘッドの重りの構造を示す分解断面図である。
【図３】本発明の実施例１のゴルフクラブヘッドの重りの構造による組み立てられた状態を示す断面図である。
【図４】本発明の実施例１のゴルフクラブヘッドの重りの構造による取り外し状態を示す断面図である。
【図４Ａ】図４の局部の拡大図である。
【図５】本発明の実施例２のゴルフクラブヘッドの重りの構造を示す分解断面図である。
【図６】本発明の実施例３のゴルフクラブヘッドの重りの構造による組み立てられた状態を示す背面図である。
【図７】本発明の実施例４のゴルフクラブヘッドの重りの構造を示す分解斜視図である。
【図８】本発明の実施例４のゴルフクラブヘッドの重りの構造を示す分解断面図である。
【図９】本発明の実施例５のゴルフクラブヘッドの重りの構造による重りの斜視図である。
【図１０】本発明の実施例６のゴルフクラブヘッドの重りの構造による重りの斜視図である。
【図１１Ａ】本発明の実施例７のゴルフクラブヘッドの重りの構造による重りの斜視図である。
【図１１Ｂ】本発明の実施例７のゴルフクラブヘッドの重りの構造による重りの斜視図である。
【図１１Ｃ】本発明の実施例７のゴルフクラブヘッドの重りの構造による重りの斜視図である。
【符号の説明】
【００３１】
１    ヘッド本体                      １１    結合座
１１１    環状凹欠溝                    １１２    肩部
１３    フランジ                          ２    重り
２１    キャップ体部                  ２１１    開錠孔
２１２    係止溝                          ２２    延長部
２２１    重りゾーン体                  ２２２    重りゾーン体
２２３    重りゾーン体                      ３    位置決めばねリング
３１    当接点                            ４    振動吸収リング
４１    振動吸収パッド                    ５    開錠装置
５１    開錠レバー                    ５１１    傾斜面
【図１】
2006212407.tif 000003
【図２】
2006212407.tif 000004
【図３】
2006212407.tif 000005
【図４】
2006212407.tif 000006
【図４Ａ】
2006212407.tif 000007
【図５】
2006212407.tif 000008
【図６】
2006212407.tif 000009
【図７】
2006212407.tif 000010
【図８】
2006212407.tif 000011
【図９】
2006212407.tif 000012
【図１０】
2006212407.tif 000013
【図１１Ａ】
2006212407.tif 000014
【図１１Ｂ】
2006212407.tif 000015
【図１１Ｃ】
2006212407.tif 000016